(57)【特許請求の範囲】
【請求項１】
セグメント電極とコモン電極との間に情報表示層を有し、前記セグメント電極と前記コモン電極との間の電位差に応じて、前記セグメント電極側または前記コモン電極側から視認した場合の前記情報表示層における表示色が変化することにより情報を表示する情報表示装置において、
前記セグメント電極の少なくとも一部を取り囲むように配置された非接触通信用アンテナを有し、
前記セグメント電極は、少なくとも前記非接触通信用アンテナに取り囲まれた領域が、その主体が線状パターンの集合体から構成されていることを特徴とする情報表示装置。
【発明の詳細な説明】
【技術分野】
【０００１】
本発明は、非接触通信が可能な情報表示装置に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が比較的狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の情報表示装置が普及しはじめている。このような薄型の情報表示装置は、紙のように薄いために携帯がしやすいとともに、消費電力が少なく、また視野角が広く、さらには、電極に印加する電圧によって表示される情報を書き換えることができるとともに、電源を切断した場合でも表示内容を保持できることから、今後のさらなる普及が予想される。
【０００４】
図６は、薄型の情報表示装置の一例を示す図であり、（ａ）は表面図、（ｂ）は（ａ）に示したＡ−Ａ’断面図、（ｃ）は（ｂ）に示したベース基材５１０上の構成を示す図である。
【０００５】
本例は図６に示すように、一方の面に表示電極５１１〜５１７が形成されたベース基材５１０と、ベース基材５１０の表示電極５１１〜５１７が形成された面に積層された情報表示層５２０と、情報表示層５２０のベース基材５１０とは反対側の面に積層された透明導電膜基板５３０とから構成されている。透明導電膜基板５３０は、ガラスや透明フィルム等からなる透明基板５３２の一方の面に透明電極（例えば、ＩＴＯ）５３１が形成されて構成されている。なお、表示電極５１１〜５１７は、ベース基材５１０に形成された配線（不図示）と接続されており、この配線を介して電圧が印加されることになる。
【０００６】
そして、表示電極５１１〜５１７に対向する領域が、情報を表示するための情報表示部５０２となり、その他の領域が背景部５０３となっている。
【０００７】
上記のように構成された情報表示装置５０１においては、透明電極５３１に所定の電圧を印加した状態で、情報表示部５０２にて表示する情報に応じて表示電極５１１〜５１７に対して、透明電極５３１に印加した電圧とは異なる２種類の電圧を選択的に印加すると、透明電極５３１と表示電極５１１〜５１７との間の電位差に応じて情報表示層５２０の状態が変化する。そして、表示電極５１１〜５１７のうち、２種類の電圧の一方の電圧が印加された表示電極に対向する領域と、２種類の電圧の他方の電圧が印加された表示電極に対向する領域とで情報表示部５０２の色が互いに異なるものとなり、この色の違いが透明導電膜基板５３０側から視認されて情報表示部５０２にて情報が表示されることになる。なお、情報表示層５２０の背景部５０３となる領域においては、表示電極５１１〜５１７に印加される２種類の電圧のうち一方の電圧が印加された状態に予め設定されており、それにより、情報表示部５０２のうちその電圧とは異なる電圧が印加された表示電極に対向する領域のみが、情報表示部５０２の他の領域及び背景部５０３とは異なる色となって情報が表示されることになる。
【０００８】
近年、このような情報表示装置に非接触通信機能を付加したものが考えられている。このような情報表示装置は、例えば、リーダライタに近接すると、リーダライタからの磁界による電磁誘導によって生じた電力によって表示素子を駆動させ、リーダライタから送信されてきた情報やメモリに書き込まれた情報を表示することができるように構成されている。
【０００９】
ところが、上述したような情報表示装置には、ベース基材の一方の面に表示電極が形成されているため、リーダライタに近接すると、リーダライタからの磁界によって表示電極の表面に渦電流が生じ、それにより、リーダライタからの磁界による電磁誘導が生じにくくなり、通信特性が劣化してしまう。
【００１０】
そこで、情報を表示する表示領域の面積をカード全体の５０％以下とした非接触ＩＣカードが特許文献１に開示されている。このように、情報表示部の面積をカード全体の５０％以下とすることにより、上記のような渦電流による通信特性の劣化を抑制することができる。
【先行技術文献】
【特許文献】
【００１１】
【特許文献１】特開２００２−２３０４９６号公報
【発明の概要】
【発明が解決しようとする課題】
【００１２】
しかしながら、上述したように渦電流による通信特性の劣化を抑制するために情報を表示する表示領域の面積をカード全体の５０％以下としたものにおいては、カードの大きさが決められている場合は、情報を表示する表示領域の面積が狭くなり、それに伴って、表示可能な情報の量が減少してしまい、また、情報を表示する表示領域の面積が決められている場合は、カード全体の大きさが大きくなってしまうという問題点がある。
【００１３】
また、表示電極を薄くしたり、抵抗値の高い材料を用いて表示電極を形成したりすることによって表示電極の抵抗値を高くし、それにより、渦電流の発生を抑制することも考えられるが、表示電極を薄くした場合は、表示電極のクラック等による断線等によって情報が表示されなくなってしまう虞れがあり、また、抵抗値の高い材料を用いて表示電極を形成する場合は、表示電極を形成するための材料が限定されてしまう。
【００１４】
ここで、表示する情報に応じた形状を有するセグメント電極を表示電極として用いたセグメント方式の情報表示装置においては、表示電極がマトリックス状に配置されたマトリックス方式の情報表示装置と比べて、表示電極が、表示する情報に応じた形状であることにより、上述したような問題が生じやすい。
【００１５】
本発明は、上述したような従来の技術が有する問題点に鑑みてなされたものであって、情報を表示するためのセグメント電極を有する情報表示装置において、セグメント電極を形成するための材料の選択の幅を狭めることなく、かつ、情報を表示する表示領域の面積を狭くしたり、情報表示装置全体の大きさを大きくしたりすることなく、情報を確実に表示しながらも非接触通信を可能とする情報表示装置を提供することを目的とする。
【課題を解決するための手段】
【００１６】
上記目的を達成するために本発明は、
セグメント電極とコモン電極との間に情報表示層を有し、前記セグメント電極と前記コモン電極との間の電位差に応じて、前記セグメント電極側または前記コモン電極側から視認した場合の前記情報表示層における表示色が変化することにより情報を表示する情報表示装置において、
前記セグメント電極の少なくとも一部を取り囲むように配置された非接触通信用アンテナを有し、
前記セグメント電極は、少なくとも前記非接触通信用アンテナに取り囲まれた領域が、その主体が線状パターンの集合体から構成されていることを特徴とする。
【００１７】
上記のように構成された本発明においては、コモン電極に所定の電圧が印加された状態で、コモン電極に印加した電圧とは異なる電圧がセグメント電極に印加されることにより、コモン電極とセグメント電極との間に電位差が生じると、その電位差に応じて、セグメント電極側またはコモン電極側から視認した場合に情報表示層における表示色が変化し、それにより情報が表示されることになる。また、セグメント電極の少なくとも一部を取り囲むように非接触通信用アンテナが配置されており、この非接触通信用アンテナを介して非接触通信が行われることになる。ここで、非接触通信用アンテナはセグメント電極の少なくとも一部を取り囲むように配置されているが、セグメント電極は、少なくとも非接触通信用アンテナに取り囲まれた領域が、その主体が線状パターンの集合体から構成されており、その領域を広範囲に覆うように面状に設けられているものではないため、リーダライタに近接した場合に渦電流が生じにくくなり、非接触通信が可能となる。
【００１８】
このように、セグメント電極について、少なくとも非接触通信用アンテナに取り囲まれた領域を、その主体が線状パターンの集合体から構成されたものとすることにより、セグメント電極にて渦電流を生じにくくしているので、セグメント電極を薄くしたり、抵抗値の高い材料を用いてセグメント電極を形成したりする必要はなく、かつ、情報を表示する表示領域の面積を狭くしたり、情報表示装置全体の大きさを大きくしたりすることなく、情報を確実に表示しながらも非接触通信が可能となる。
【発明の効果】
【００１９】
以上説明したように本発明においては、情報を表示するためのセグメント電極を有する情報表示装置において、セグメント電極について、少なくとも非接触通信用アンテナに取り囲まれた領域が、その主体が線状パターンの集合体から構成されているものとしたため、セグメント電極を薄くしたり、抵抗値の高い材料を用いてセグメント電極を形成したりすることなく、セグメント電極にて渦電流が生じにくくなり、それにより、セグメント電極を形成するための材料の選択の幅を狭めることなく、かつ、情報を表示する表示領域の面積を狭くしたり、情報表示装置全体の大きさを大きくしたりすることなく、情報を確実に表示しながらも非接触通信が可能となる。
【図面の簡単な説明】
【００２０】
【図１】本発明の情報表示装置の第１の実施の形態を示す図であり、（ａ）は表面図、（ｂ）は（ａ）に示したＡ−Ａ’断面図、（ｃ）は（ｂ）に示したベース基材上の構成を示す図、（ｄ）は（ｃ）に示した表示電極の詳細な形状を示す図である。
【図２】図１に示した情報表示装置の情報表示部に情報が表示された状態を示す図である。
【図３】本発明の情報表示装置の第２の実施の形態を示す図であり、（ａ）は表面図、（ｂ）は（ａ）に示したＡ−Ａ’断面図、（ｃ）は（ｂ）に示したベース基材上の構成を示す図、（ｄ）は（ｃ）に示したＡ部拡大図である。
【図４】図３に示した情報表示装置における情報の表示状態を示す図であり、（ａ）は情報が表示されていない状態を示す図、（ｂ）は情報が表示された状態を示す図である。
【図５】本発明の情報表示装置に用いられる表示電極を構成する線状パターンの形状の例を示す図である。
【図６】薄型の情報表示装置の一例を示す図であり、（ａ）は表面図、（ｂ）は（ａ）に示したＡ−Ａ’断面図、（ｃ）は（ｂ）に示したベース基材上の構成を示す図である。
【発明を実施するための形態】
【００２１】
以下に、本発明の実施の形態について図面を参照して説明する。
【００２２】
（第１の実施の形態）
図１は、本発明の情報表示装置の第１の実施の形態を示す図であり、（ａ）は表面図、（ｂ）は（ａ）に示したＡ−Ａ’断面図、（ｃ）は（ｂ）に示したベース基材１０上の構成を示す図、（ｄ）は（ｃ）に示した表示電極１１の詳細な形状を示す図である。
【００２３】
本形態は図１に示すように、一方の面にセグメント電極となる表示電極１１〜１７が形成されるとともに、他方の面にコイル状の非接触通信用アンテナ４０が形成されたベース基材１０と、ベース基材１０の表示電極１１〜１７が形成された面に積層された情報表示層２０と、情報表示層２０のベース基材１０とは反対側の面に積層された透明導電膜基板３０とから構成されている。透明導電膜基板３０は、ガラスや透明フィルム等からなる透明基板３２の一方の面にコモン電極となる透明電極（例えば、ＩＴＯ）３１が形成されて構成されている。なお、表示電極１１〜１７は、ベース基材１０に形成された配線（不図示）と接続されており、この配線を介して電圧が印加されることになる。
【００２４】
そして、表示電極１１〜１７に対向する領域が、情報を表示するための情報表示部２となり、その他の領域が背景部３となっている。
【００２５】
ベース基材１０は、ＰＥＴ等の材料からなり、情報表示層３０と対向する面に、例えば、銀ペーストやカーボンペースト等の導電ペーストや導電インキを用いたスクリーン印刷によって表示電極１１〜１７が形成されている。表示電極１１〜１７は、ベース基材１０上に、表示される情報に応じたパターンでセグメント形状に形成されている。本形態は、この表示電極１１〜１７を用いて１桁の数字を表示するものであって、表示電極１１〜１７に対して選択的に電圧が印加されることにより、“０”〜“９”の数字が表示されることになる。表示電極１１は、図１（ｄ）に示すように、その一端が接続パターン１１ｉによって互いに接続され、他端が開放された線状パターン１１ａ〜１１ｈが並行して配置されることによって構成されている。表示電極１２〜１７についても同様の構成となっており、それにより、表示電極１１〜１７のそれぞれは、表示電極１１〜１７それぞれについて全ての領域を覆う面状のベタパターンではなく、電気的に接続された複数の線状パターンの集合体から構成されていることになる。このように構成された表示電極１１〜１７は、ベース基材１０に形成された配線を介して選択的に電圧が印加されることになる。また、ベース基材１０の裏面に形成されたアンテナ４０は、表示電極１１〜１７の全てを取り囲むようにコイル状に形成されている。
【００２６】
透明導電膜基板３０は、ガラスや透明フィルム等からなる透明基板３２の一方の面に透明電極３１が形成されて構成されており、透明電極３１に外部から所定の電圧が印加される。
【００２７】
情報表示層２０は、表示電極１１〜１７と透明電極３１との間の電位差に応じて情報を表示するものであって、透明電極３１に所定の電圧を印加した状態で、情報表示部２にて表示する情報に応じて表示電極１１〜１７に２種類の電圧を選択的に印加することにより、透明電極３１と表示電極１１〜１７との間の電位差によって情報表示層２０の状態が変化し、この状態の変化によって、情報表示部２の色が表示電極１１〜１７に対向する領域毎に２色のうちいずれかの色となり、この色の違いが透明導電膜基板３０側から視認されて情報表示部２にて“０”〜“９”の数字が表示されることになる。この情報表示層２０としては、例えば、電気泳動タイプや電子粉粒タイプ、エレクトロクロミック等が挙げられるが、マイクロカプセル方式の電気泳動タイプが最も好ましい。
【００２８】
以下に、上記のように構成された情報表示装置１の動作について説明する。
【００２９】
まず、アンテナ４０を介しての非接触通信動作について説明する。
【００３０】
図１に示した情報表示装置１をリーダライタに近接させると、リーダライタからの磁束がコイル状のアンテナ４０の内部を貫通し、電磁誘導によってアンテナ４０に電流が流れる。この際、磁束が貫通するアンテナ４０の内部の領域においては、表示電極１１〜１７が設けられているが、表示電極１１〜１７のそれぞれが、上述したようにベタパターンではなく複数の線状パターンの集合体から構成されているため、リーダライタからの磁界によって渦電流が生じにくくなる。
【００３１】
そのため、情報表示装置１をリーダライタに近接させることにより、リーダライタとの間にて非接触通信が行われ、アンテナ４０に接続されたＩＣチップ（不図示）に情報が書き込まれたり、ＩＣチップに記憶された情報が読み出されたりする。
【００３２】
次に、情報表示部２における情報の表示動作について説明する。
【００３３】
図１に示した情報表示装置１の情報表示部２にて情報を表示する場合、例えば、透明電極３１が０Ｖとされた状態で、表示電極１１〜１７にマイナスあるいはプラスの電圧が選択的に印加されると、マイナスの電圧が印加された表示電極に対向する領域においては、表示電極に対して透明電極３１側がプラスとなる電位差が生じ、また、プラスの電圧が印加された表示電極に対向する領域においては、表示電極に対して透明電極３１側がマイナスとなる電位差が生じる。すると、情報表示層２０の状態がこの表示電極１１〜１７と透明電極３１との間の電位差によって変化し、この状態の変化によって、情報表示部２の表示色が表示電極１１〜１７に対向する領域毎に２色のうちいずれかの色となる。
【００３４】
図２は、図１に示した情報表示装置１の情報表示部２に情報が表示された状態を示す図である。
【００３５】
例えば、図１に示した情報表示装置１において、透明電極３１が０Ｖとされた状態で、表示電極１１，１２，１４，１６，１７にマイナスの電圧が印加されるとともに、表示電極１３，１５にプラスの電圧が印加されたものとする。また、情報表示層２０の背景部３となる領域においては、透明電極３１が０Ｖとされた状態で、表示電極１１〜１７にプラスの電圧が印加された状態に予め設定されているものとする。すると、図２に示すように、透明導電膜基板３０側から視認した場合、情報表示部２のうち表示電極１１，１２，１４，１６，１７に対向する領域が背景部３とは異なる色となって表示部４ａとなり、また、表示電極１３，１５に対向する領域が背景部３と同一の色となって非表示部４ｂとなり、それにより、“５”の数字が視認されることになる。なお、このように表示される情報は、表示電極１１〜１７に接続された配線を介して外部から与えられるものや、アンテナ４０を介した非接触通信にて受信したものが考えられる。アンテナ４０を介した非接触通信にて受信したものを表示する場合は、アンテナ４０に接続されたＩＣチップから、表示電極１１〜１７に電圧を印加するためのドライバに表示すべき情報が送られることになる。
【００３６】
ここで、表示電極１１〜１７のそれぞれにおいては、上述したようにベタパターンではなく線状パターンの集合体から構成されているため、表示電極１１〜１７のそれぞれに対向する領域においては、表示される色が、表示電極１１〜１７に印加された電圧に応じた１つの色にならなくなってしまうことになる。ところが、情報表示層２０においては、表示電極１１〜１７に対向する領域に隣接する領域において表示電極１１〜１７に印加された電圧に応じた色と同一の色が表示される“にじみ”が生じることによって、線状パターン間に対向する領域においても線状パターンに対向する領域と同一の色が表示されることになる。また、そのようなにじみの効果が生じない場合や、線状パターンの間隔によってはそのようなにじみの効果によって線状パターン間にて同一の色が表示されない場合であっても、線状パターンの間隔が微細なものであることにより、実際に肉眼では、表示電極１１〜１７のそれぞれに対向する領域においては、表示される色が、表示電極１１〜１７に印加された電圧に応じた１つの色に見えることになる。
【００３７】
このように本形態においては、非接触通信用アンテナ４０が表示電極１１〜１７を取り囲むように配置されていることにより、リーダライタからの磁束が貫通する部分に表示電極１１〜１７が設けられているものの、表示電極１１〜１７が線状パターンの集合体から構成されたものであることにより、表示電極１１〜１７にて渦電流が生じにくくなり、それにより、表示電極１１〜１７を薄くしたり、抵抗値の高い材料を用いて表示電極１１〜１７を形成したりする必要はなく、かつ、情報を表示する表示領域の面積を狭くしたり、情報表示装置１全体の大きさを大きくしたりすることなく、情報を確実に表示しながらも非接触通信が可能となる。
【００３８】
なお、本形態においては、表示電極１１〜１７の全てがアンテナ４０に取り囲まれた構成を例に挙げて説明したが、アンテナ４０の一部が表示電極１１〜１７と重なり、表示電極１１〜１７の一部を取り囲むようにアンテナ４０が配置されていてもよく、その場合、表示電極１１〜１７のうち、少なくともアンテナ４０に取り囲まれた領域が、上述したような線状パターンの集合体で構成されていればよい。
【００３９】
また、本形態においては、情報表示部２となる領域にのみ表示電極１１〜１７が設けられたものを例に挙げて説明したが、背景部３となる領域にも表示電極を設けた構成としてもよい。その場合においても、その表示電極のうちアンテナ４０によって囲まれた領域を、線状パターンの集合体から構成することが好ましい。
【００４０】
また、本形態においては、表示電極として、“０”〜“９”の数字を表示するような７セグメントの表示電極１１〜１７を例に挙げて説明したが、表示電極としては、その他、文字や図形、絵等を表示するためにそれらに応じた形状のものであってもよい。
【００４１】
また、本形態においては、情報表示部２にて表示される情報が、透明導電膜基板３０側から視認されるものを例に挙げて説明したが、ベース基材１０や表示電極１１〜１７、アンテナ４０を透明な材料から構成することにより、ベース基材１０側から視認するような構成とすることも考えられる。
【００４２】
（第２の実施の形態）
図３は、本発明の情報表示装置の第２の実施の形態を示す図であり、（ａ）は表面図、（ｂ）は（ａ）に示したＡ−Ａ’断面図、（ｃ）は（ｂ）に示したベース基材１１０上の構成を示す図、（ｄ）は（ｃ）に示したＡ部拡大図である。
【００４３】
本形態は図３に示すように、図１に示したものに対して、ベース基材１１０の一方の面の全面にセグメント電極となる表示電極１１１が形成されているとともに、透明導電性基板１３０上の一部にマスク層１５０が積層されている点が主に異なるものである。本形態における非接触通信用アンテナ１４０は、ベース基材１１０の表示電極１１１とは反対側の面にコイル状に形成されており、それにより、表示電極１１１の一部を取り囲むように配置されていることになる。
【００４４】
マスク層１５０は、透明導電性基板１３０上において、この情報表示装置１０１で表示する情報に応じた形状に積層されており、本形態においては、“ＯＫ”という文字を抜いた形状に積層されている。そして、このマスク層１５０によって背景部１０３が構成されている。
【００４５】
表示電極１１１は図３（ｄ）に示すように、本形態においても線状パターン１１１−１〜１１１−ｎが並行して配置されることによって構成されている。これら線状パターン１１１−１〜１１１−ｎにおいても、図１に示したものと同様に、一端が互いに接続され、他端が開放された形状となっている。
【００４６】
以下に、上記のように構成された情報表示装置１０１の動作について説明する。
【００４７】
まず、アンテナ１４０を介しての非接触通信動作について説明する。
【００４８】
図３に示した情報表示装置１０１をリーダライタに近接させると、リーダライタからの磁束がコイル状のアンテナ１４０の内部を貫通し、電磁誘導によってアンテナ１４０に電流が流れる。この際、ベース基材１１０のアンテナ１４０とは反対側の面には、その全面に表示電極１１１が形成されているが、表示電極１１１が、上述したようにベタパターンではなく複数の線状パターンの集合体から構成されているため、リーダライタからの磁界によって渦電流が生じにくくなる。
【００４９】
そのため、情報表示装置１０１をリーダライタに近接させることにより、リーダライタとの間にて非接触通信が行われ、アンテナ１４０に接続されたＩＣチップ（不図示）に情報が書き込まれたり、ＩＣチップに記憶された情報が読み出されたりする。
【００５０】
次に、情報表示部１０２における情報の表示動作について説明する。
【００５１】
図３に示した情報表示装置１０１の情報表示部１０２にて情報を表示する場合、例えば、透明電極１３１が０Ｖとされた状態で、表示電極１１１にマイナスあるいはプラスの電圧が選択的に印加されると、表示電極１１１にマイナスの電圧が印加された場合は、表示電極１１１に対して透明電極１３１側がプラスとなる電位差が生じ、また、表示電極１１１にプラスの電圧が印加された場合は、表示電極１１１に対して透明電極１３１側がマイナスとなる電位差が生じる。すると、情報表示層１２０の状態がこの表示電極１１１と透明電極１３１との間の電位差によって変化し、この状態の変化によって、情報表示装置１０１における表示色が２色のうちいずれかの色となり、この色とマスク層１５０の色とによって情報が表示されることになる。
【００５２】
図４は、図３に示した情報表示装置１０１における情報の表示状態を示す図であり、（ａ）は情報が表示されていない状態を示す図、（ｂ）は情報が表示された状態を示す図である。
【００５３】
例えば、図３に示した情報表示装置１０１において、透明電極１３１が０Ｖとされた状態で、表示電極１１１にプラスの電圧が印加されたものとする。また、マスク層１５０においては、透明電極１３１が０Ｖとされた状態で、表示電極１１１にプラスの電圧が印加された場合に透明導電膜基板１３０側から情報表示層１２０が視認される色と略同一の色に着色されているものとする。すると、図４（ａ）に示すように、マスク層１５０側から視認した場合、情報表示層１２０がマスク層１５０によって構成される背景部１０３と略同一の色となって非表示部１０４ｂとなり、それにより、情報が表示されない。
【００５４】
また、透明電極１３１が０Ｖとされた状態で、表示電極１１１にマイナスの電圧が印加されると、図４（ｂ）に示すように、マスク層１５０側から視認した場合、情報表示層１２０がマスク層１５０によって構成される背景部１０３とは異なる色となって表示部１０４ａとなり、それにより、マスク層１５０の形状に応じた“ＯＫ”という文字が表示されることになる。
【００５５】
ここで、表示電極１１１においては、上述したようにベタパターンではなく線状パターンの集合体から構成されているため、情報表示部１０２にて表示される色が表示電極１１１に印加された電圧に応じた１つの色にならなくなってしまうことになるが、本形態においても、第１の実施の形態にて示したものと同様の理由により、情報表示部１０２にて表示される色が表示電極１１１に印加された電圧に応じた１つの色に見えることになる。
【００５６】
このように本形態においては、ベース基材１１０の非接触通信用アンテナ１４０とは反対側の面の全面に表示電極１１１が配置されていることにより、リーダライタからの磁束が貫通する部分に表示電極１１１が設けられているものの、表示電極１１１が線状パターンの集合体から構成されたものとすることにより、表示電極１１１にて渦電流が生じにくくなり、それにより、表示電極１１１を薄くしたり、抵抗値の高い材料を用いて表示電極１１１を形成したりする必要はなく、かつ、情報を表示する表示領域の面積を狭くしたり、情報表示装置１全体の大きさを大きくしたりすることなく、情報を確実に表示しながらも非接触通信が可能となる。
【００５７】
なお、本形態においては、表示電極１１１の全てが線状パターンの集合体から構成されたものを例に挙げて説明したが、表示電極１１１のうち、少なくともアンテナ１４０に取り囲まれた領域が、上述したような線状パターンの集合体で構成されていればよい。
【００５８】
また、上述した２つの実施の形態においては、表示電極１１〜１７，１１１を構成する複数の線状パターンが、その一端にて互いに接続され、他端が開放されているものを例に挙げて説明したが、同じ電圧を印加しやすくするためにいずれかの領域にて互いに接続されていれば、開放されている部分を有さない構成としてもよい。ただし、端部が開放されることによりループ状のパターンとなっていない方が、渦電流を生じにくくさせることができる。また、少なくとも一部が互いに電気的に接続されていない構成であってもよい。
【００５９】
また、表示電極１１〜１７，１１１が全て線状パターンの集合体で構成されている必要はなく、その主体が線状パターンの集合体で構成されていれば、線状パターン上にランド部のような一定の面積を有する領域を設けてもよい。
【００６０】
また、上述した実施の形態においては、表示電極１１〜１７，１１１が、複数の線状パターンが並行して配置されることによって構成されたものを例に挙げて説明したが、その形状はこれに限らない。
【００６１】
図５は、本発明の情報表示装置に用いられる表示電極を構成する線状パターンの形状の例を示す図である。
【００６２】
本発明の情報表示装置に用いられる表示電極としては、上述した２つの実施の形態にて示したような、複数の線状パターンが並行して配置されることによって構成されたもの以外にも、図５（ａ）に示すように線状パターンが格子状となった表示電極２１１や、図５（ｂ）に示すように線状パターンがハニカム形状となった表示電極３１１や、図５（ｃ）に示すように線状パターンが渦状になった表示電極４１１等が考えられる。なお、情報を表示する観点からは、図５（ａ）に示すような格子状の表示電極２１１や図５（ｂ）に示すようなハニカム形状の表示電極３１１等、線状パターンが網目状となったものが好ましい。
【符号の説明】
【００６３】
１，１０１    情報表示装置
２，１０２    情報表示部
３，１０３    背景部
４ａ    表示部
４ｂ    非表示部
１０，１１０    ベース基材
１１〜１７，１１１，２１１，３１１，４１１    表示電極
１１ａ〜１１ｈ，１１１−１〜１１１−９    線状パターン
１１ｉ    接続パターン
２０，１２０    情報表示層
３０，１３０    透明導電膜基板
３１，１３１    透明電極
３２，１３２    透明基板
４０，１４０    アンテナ
【図１】
0005580232.tif 000002
【図２】
0005580232.tif 000003
【図３】
0005580232.tif 000004
【図４】
0005580232.tif 000005
【図５】
0005580232.tif 000006
【図６】
0005580232.tif 000007